(57)【要約】【課題】拭き部材に液体を供給しながら拭き掃除できるとともに、拭き部材に触れるのを抑制しつつ液体の補給及び廃棄が行える吸込み口体を提供する。【解決手段】吸込み口本体２１は吸塵開口３５を有している。供液手段２５ａは内部に液体Ｌが収容されるタンク部７０ａ及び含液可能な材料により形成された供液部７１を有している。供液部７１はタンク部７０内の液体Ｌと接触するように配置されている。供液手段２５は吸込み口本体２１に設けられている。拭き取り体２７は含液可能な拭き部材８１を有している。拭き部材８１はタンク部７０外で供液部７１と接触して液体Ｌが供給される。拭き取り体２７は拭き部材８１が被清掃面Ｆと接するように吸込み口本体２１に設けられている。【選択図】　　図２
2004121410.tif 000002
【特許請求の範囲】
【請求項１】
吸塵開口を有する吸込み口本体と、
内部に液体が収容されるタンク部、及び含液可能な材料により形成されて前記タンク部内の液体と接触するように配置された供液部を有して、前記吸込み口本体に設けられた供液手段と、
前記タンク部外で前記供液部と接触して前記液体が供給される含液可能な拭き部材を有し、前記拭き部材が被清掃面と接するように前記吸込み口本体に設けられた拭き取り体と、を具備する吸込み口体。
【請求項２】
請求項１に記載の吸込み口体において、前記被清掃面への前記拭き取り体の接離に連動して前記拭き部材が前記供液部に接離するように、前記拭き取り体が移動可能に設けられている。
【請求項３】
請求項２に記載の吸込み口体において、外周に設けられた清掃部材を有する回転清掃体が前記吸込み口本体に回転駆動可能に取付けられているとともに、前記拭き取り体は、ローラの外周に前記拭き部材を設けて形成されており、前記拭き部材と前記清掃部材が接するように設けられている。
【請求項４】
請求項１〜３の内のいずれか１項に記載の吸込み口体において、前記吸込み口本体の前端部に前端吸塵開口が開けられているとともに、前記拭き取り体の上方に前記吸塵開口及び前記前端吸塵開口を通った空気を合流させる本体内空間部を前記吸込み口本体が有している。
【請求項５】
掃除機本体内の電動送風機の動作により、前記掃除機本体の集塵室に連通された吸込み口体の吸塵開口から被清掃面の塵を空気とともに吸込んで、この吸込んだ塵を前記集塵室内に捕捉する電気掃除機において、前記吸込み口体に請求項１〜４の内のいずれか１項に記載の吸込み口体を用いた電気掃除機。
【請求項６】
掃除機本体内の電動送風機の動作により、前記掃除機本体の集塵室に連通された吸込み口体の吸塵開口から被清掃面の塵を空気とともに吸込んで、この吸込んだ塵を前記集塵室内に捕捉するとともに、前記電動送風機を通過してこの電動送風機から排出された空気を前記吸込み口体に戻す電気掃除機において、前記吸込み口体に請求項１〜５の内のいずれか１項に記載の吸込み口体が用いられるとともに、前記吸込み口本体に前記電動送風機から排出された空気を流通させる戻り風路が形成され、この戻り風路内に前記タンク部が配設されている電気掃除機。
【発明の詳細な説明】
【０００１】
【発明の属する技術分野】
本発明は、被清掃面上の塵を取り込む吸込み口体、及び、この吸込み口体を備えた電気掃除機に関する。
【０００２】
【従来の技術】
電気掃除機に具備される吸込み口体には、被清掃面と接するように起毛布を取付けたものがある。この吸込み口体は、吸込み口本体を前後方向に摺動させることで、被清掃面上の塵を吸塵開口を介して本体内空間部に取り込むとともに、被清掃面を起毛布により乾拭き掃除することができるように構成されている。
【０００３】
この種の吸込み口体としては、従来、起毛布を巻きつけた円筒ローラと、この円筒ローラの両端部に一体化されて吸込具本体に回転自在に直接支持される支持部とから構成した起毛布ローラ体を備えた吸込具が知られている。この吸込具では、起毛布ローラ体の起毛布により被清掃面を乾拭き掃除できる。
【０００４】
また、この吸込み具は、円筒ローラをセラミック等の多孔質で形成し、この円筒ローラの内部に水を収容することで、円筒ローラの外表面に水が滲むように構成することが可能である。このように構成することにより、円筒ローラに巻きつけられた起毛布に水が供給されるので、この水が供給されて湿った起毛布により被清掃面を水拭き掃除できる（例えば、特許文献１参照）。
【０００５】
【特許文献１】
特開２０００−９３３６５号公報（第２−６頁、図１）
【０００６】
【発明が解決しようとする課題】
しかし、特許文献１に記載の吸込具では、円筒ローラへの補水或いは排水時、起毛布ローラ体ごと吸込具から取外す必要がある。つまり、円筒ローラとともに被清掃面を拭き掃除した後の汚れた起毛布を取外す必要があるため、この汚れた起毛布で手等を汚してしまうおそれがある。
【０００７】
本発明が解決しようとする課題は、拭き部材に液体を供給しながら拭き掃除できるとともに、拭き部材に触れるのを抑制しつつ液体の補給及び廃棄が行える吸込み口体、及び、この吸込み口体を備えた電気掃除機を得ることにある。
【０００８】
【課題を解決するための手段】
前記課題を解決するために、請求項１に係る発明の吸込み口体は、内部に液体が収容されるタンク部、及含液可能な材料により形成されて前記タンク部内の液体と接触するように配置された供液部を有する供液手段が、吸塵開口を有する吸込み口本体に設けられているとともに、タンク部外で供液部と接触して前記液体が供給される含液可能な拭き部材を有する拭き取り体が、拭き部材が被清掃面と接するように前記吸込み口本体に設けられている。
【０００９】
この吸込み口体によれば、拭き部材を有する拭き取り体と、内部に液体が収容されるタンク部を有する供液手段とが別体で具備されているため、拭き部材に触れるのを抑制しつつタンク部への液体の補給及び廃棄が行える。しかも、拭き部材はタンク部外で供液部と接触しているので、供液部を介してタンク部内の液体を拭き部材に供給できる。
【００１０】
【発明の実施の形態】
以下、図１〜図４を参照して本発明の第１の実施形態を説明する。
【００１１】
図１に例示するキャニスタ型の電気掃除機１は、掃除機本体２と、これに内蔵された電動送風機３と、床面等の被清掃面Ｆから吸込んだ空気を掃除機本体２内に導く気流ガイド手段７と、吸込み口体２０とを具備している。
【００１２】
移動車輪６が取付けられている掃除機本体２は、例えば集塵室からなる集塵部４と、この集塵部４に対する空気の流れ方向の上流側に位置する吸込み口５とを有している。掃除機本体２内には、集塵部４に対する空気の流れ方向の下流側、例えば掃除機本体２の後部に位置して電動送風機３が配置されている。
【００１３】
気流ガイド手段７は、例えば可撓性の吸塵ホース８と、例えば伸縮式で硬質な延長管１０とを備えている。吸塵ホース８の一端部８ａは吸込み口５に着脱可能に挿し込み接続される。吸塵ホース８の他端部８ｂは手元操作部９で形成されている。手元操作部９が有するハンドル９ａには各種の操作スイッチ９ｂが取付けられている。延長管１０の一端部１０ａは手元操作部９の先端嵌合筒部に着脱可能に接続される。延長管１０の他端部１０ｂ又は手元操作部９の先端嵌合筒部には、吸込み口体２０が選択的に着脱可能に接続される。
【００１４】
電気掃除機１の電動送風機３を駆動させることにより、この電動送風機３に吸込まれる気流が形成される。それによって、吸込み口体２０から床面等の被清掃面Ｆの塵を空気とともに吸込んで、それを、延長管１０及び吸塵ホース８のうちの少なくとも吸塵ホース８を経由させて掃除機本体２の集塵部４に導き、この集塵部４内に着脱可能に収容された集塵袋等のフィルタ４ａで前記塵を捕捉できる。なお、集塵部４は、掃除機本体２に着脱されて、その装着状態でサイクロン式の集塵ができる集塵カップで形成することもできる。集塵部４のフィルタ４ａを通過した空気は、電動送風機３に吸込まれてこの電動送風機３から排出された後、掃除機本体２に設けた排気口（図示せず）を通して掃除機本体２の外部に排出される。以上により被清掃面Ｆを掃除できる。
【００１５】
次に、図２〜図４を参照して吸込み口体２０について説明する。この吸込み口体２０は、吸込み口本体２１、回転リング２２、管継手２３、接続管２４、供液手段２５ａ、回転清掃体２６、及び拭き取り体２７ａ等を備えている。
【００１６】
吸込み口本体２１は、上ケース３０と、下ケース３１と、中仕切り３２とを含んでいる。上下両ケース３０，３１は互いに連結され、中仕切り３２は上下両ケース３０，３１間に配置されている。上ケース３０には前方に寄せて内側に凹む溝部６０が形成されている。この溝部６０は吸込み口本体２１の幅方向（図２及び図３を描いた紙面の表裏方向）に延びている。また、この溝部６０の底には、吸込み口本体２１の幅方向に延びる第１細長開口６１が形成されている。
【００１７】
下ケース３１には、下部に吸塵開口３５が開けられているとともに、前端部に前端吸塵開口３６が開けられている。吸塵開口３５と前端吸塵開口３６とは連続しており、吸込み口本体２１の幅方向に延びて形成されている。なお、吸塵開口３５と前端吸塵開口３６とは非連続であってもよい。また、この実施形態では、前端吸塵開口３６はなくともよい。
【００１８】
回転リング２２は、中仕切り３２より後側に位置して上下両ケース３０，３１間に取付けられている。この回転リング２２は水平軸周りに回転可能である。回転リング２２の後部には、管継手２３が取付けられ、この管継手２３には回転リング２２に対してその後側から連通する接続管２４が取付けられている。接続管２４は管継手２３側の一端部を中心として上下方向に起倒可能に設けられている。この接続管２４の起倒と回転リング２２の水平軸周りの回転との組み合わせによって、吸込み口本体２１に対する接続管２４の位置の自由度を得ている。
【００１９】
なお、図２及び図３中符号３８は、管継手２３に接続された固定ガイド、符号３９は、管継手２３の起倒に連動して固定ガイド上を摺動する可動ガイドを夫々示している。両ガイド３８，３９により、接続管２４が起こされた際に、回転リング２２と接続管２４との間の気密が確保されるようになっている。接続管２４の他端部は延長管１０または吸塵ホース８に着脱可能に嵌合して接続される。また、図４中符号３７は、吸塵開口３５の両端部に貼り付けられた例えば起毛布からなる一対の固定拭き部材３７を示している。
【００２０】
吸込み口本体２１には、中仕切り３２とこれを下から支持する下ケース３１とにより、第１収容室４０と第２収容室４１とが形成されている。第１収容室４０及び第２収容室４１は夫々吸塵開口３５を通して被清掃面Ｆに臨んでいる。第１収容室４０は上ケース３０に形成された溝部６０の下方に位置しており、中仕切り３２の第１収容室４０を形成する部分には溝部６０の底に形成された第１細長開口６１と対向させて第２細長開口４２が形成されている。第２収容室４１は第１収容室４０の後側に隣接している。中仕切り３２と上ケース３０との間には本体内空間部４３が形成されている。この本体内空間部４３は、上方から第１収容室４０及び第２収容室４１を覆うように形成されている。
【００２１】
前端吸塵開口３６は、中仕切り３２の前端部と下ケース３１との間の隙間により形成された第１塵通過部４４を通して第１収容室４０と連通されている。第１収容室４０は中仕切り３２の中間部と下ケース３１との間の隙間により形成された第２塵通過部４５を通して第２収容室４１と連通されている。第２収容室４１は中仕切り３２の後端部と下ケース３１との間の隙間により形成された第３塵通過部４６を通して本体内空間部４３と連通されている。本体内空間部４３は回転リング２２に前側から連通されている。
【００２２】
したがって、吸塵開口３５を通って第２収容室４１に取り込まれた被清掃面Ｆ上の塵は、第３塵通過部４６を通って本体内空間部４３を流通し、この空間部４３から回転リング２２及び管継手２３を通って接続管２４を流通して気流ガイド手段７に吸込まれる。吸塵開口３５を通って第１収容室４０に取り込まれた被清掃面Ｆ上の塵は、第２塵通過部４５、第２収容室４１、及び第３塵通過部４６を通って本体内空間部４３を流通し、この空間部４３から回転リング２２及び管継手２３を通って接続管２４を流通して気流ガイド手段７に吸込まれる。
【００２３】
また、吸込み口本体２１の前端壁には前端吸塵開口３６が開けられているので、吸込み口本体２１を前進させた時、吸込み口本体２１の前方の被清掃面Ｆ上の塵を吸込み口本体２１により前方に押し動かされることなく前端吸塵開口３６から取り込むことができる。前端吸塵開口３６から取り込まれた塵は、第１塵通過部４４、第１収容室４０、第２塵通過部４５、第２収容室４１、及び第３塵通過部４６を通って本体内空間部４３を流通し、この空間部４３から回転リング２２及び管継手２３を通って接続管２４を流通して気流ガイド手段７に吸込まれる。
【００２４】
供液手段２５ａは、タンク部７０ａ及び供液部７１を有している。タンク部７０ａは、内部に水やワックス等の液体Ｌを収容するものである。このタンク部７０ａは、例えば透明或いは透光性を有する樹脂等の部材で、吸塵開口３５の長さ方向に延びる細長筒状に形成されている。タンク部７０ａの断面形状は、下側略半分が上ケース３０に形成した溝部６０に沿う形状であればよい。タンク部７０ａの外周の下側となる位置には長手方向に沿って供液部挿入口７２が開けられている。また、タンク部７０ａの長手方向一端部には図示しない液体補充口が開けられている。この液体補充口は開閉自在の図示しない蓋部で液密に閉じられている。なお、液体補充口は供液部挿入口７２を避けた位置であればどこでもよい。
【００２５】
供液部７１は、含液可能な材料、例えばフェルト等により、タンク部７０ａの供液部挿入口７２に対応させて帯状に形成されている。供液部７１は、その幅方向の一側部をタンク部７０ａの供液部挿入口７２から内部に挿入させ、タンク部７０ａ内の液体Ｌと接触するように取付けられている。なお、供液部７１と供液部挿入口７２との隙間から液体Ｌが漏れないように、供液部７１と供液部挿入口７２との間は図示しないシール材で液密にシールされている。
【００２６】
供液手段２５ａは、供液部７１を下側に向けた状態で上ケース３０の溝部６０に着脱自在に取付けられている。このとき、供液部７１の幅方向の他側部は、第１細長開口６１及び第２細長開口４２を通って第１収容室４０内に延出される。
【００２７】
回転清掃体２６は、第２収容室４１に内蔵されて吸込み口本体２１に取付けられている。この回転清掃体２６は、図４に示すように、吸塵開口３５の長さ方向（図２及び図３を描いた紙面の表裏方向、図４を描いた紙面の左右方向）に延びている。この回転清掃体２６は、回転軸２６ａ及びこの回転軸２６ａの外周に設けられた清掃部材２６ｂを有している。回転清掃体２６としては、例えば、清掃部材２６ｂとしてのブラシ毛が回転軸２６ａを中心として放射状に密に配置される清掃体や、清掃部材２６ｂとしての１枚あるいは複数枚の軟質素材からなる羽根が回転軸２６ａを中心として例えば螺旋状に配置される清掃体等を用いることができる。清掃部材２６ｂは、これが回転清掃体２６の下端部に移動された際に被清掃面Ｆに接するように吸塵開口３５より突出する長さに設定されている。
【００２８】
下ケース３１の内側両端部には清掃体支持部４８が形成されている。回転清掃体２６は、回転軸２６ａの両端部を清掃体支持部４８に軸支させることで、吸塵開口３５を通して清掃部材２６ｂが被清掃面Ｆと接するように設けられている。また、この回転清掃体２６は、例えば吸込み口本体２１に組み込まれた図示しないモータを駆動源として回転駆動されるようになっている。
【００２９】
拭き取り体２７ａは、第１収容室４０に内蔵されて吸込み口本体２１に取付けられている。この拭き取り体２７ａは、吸塵開口３５の長さ方向（図２及び図３を描いた紙面の表裏方向、図４を描いた紙面の左右方向）に延びている。この拭き取り体２７ａでは、ローラ８０の外周に拭き部材８１が設けられている。ローラ８０は、例えば細長円筒形状に形成されており、その両端部に軸部８５ａが設けられている。拭き部材８１としては、含液可能な材料、例えば起毛布等により形成されている。
【００３０】
下ケース３１の内側両端部には、例えば上下方向に延びる長円形状の凹部からなる拭き取り体支持部４９が形成されている。拭き取り体２７ａは、ローラ８０の両軸部８５ａを拭き取り体支持部４９に軸支させることで、吸塵開口３５を通して拭き部材８１が被清掃面Ｆと接するように設けられている。また、この拭き取り体２７ａは、吸込み口本体２１の前進及び後退に連動して回転自在とされている。なお、拭き取り体２７ａは、例えば拭き取り体支持部４９にストッパを設け、拭き部材８１が前進又は後退のうちのどちらか一方の時に回転するようにしてもよい。また、拭き取り体２７ａは、所定の角度範囲内で回動するようにしてもよい。
【００３１】
ところで、拭き取り体２７ａは、被清掃面Ｆへの拭き取り体２７ａの接離に連動して拭き部材８１が供液部７１に接離するように、拭き取り体２７ａを移動可能に設けるのが好ましい。この実施形態では、拭き取り体２７ａを上下方向に延びる長円形状の拭き取り体支持部４９に軸支させることで上下方向に移動可能に設けている。
【００３２】
そのため、吸塵開口３５が開けられた下ケース３１を被清掃面Ｆに対向させながら吸込み口本体２１を下方に移動させると、まず拭き取り体２７ａの拭き部材８１が被清掃面Ｆに接触する。さらに、回転清掃体２６の清掃部材２６ｂが被清掃面Ｆと接触する状態まで吸込み口本体２１を下方に移動させると、拭き部材８１は接触している被清掃面Ｆに押されて移動可能な領域中の最上位置まで移動する。これにより、拭き部材８１が供液部７１の他側部と接触する。
【００３３】
一方、吸込み口本体２１を上方に移動させると、まず回転清掃体２６の清掃部材２６ｂが被清掃面Ｆから離間する。このとき、拭き取り体２７ａは自重により下方に移動するので、拭き部材８１は供液部７１の他側部から離間するが、被清掃面Ｆとは接触したままとなる。さらに、吸込み口本体２１を上方に移動させると、拭き取り体２７ａは移動可能な領域中の最下位置まで自重により移動して止まり、被清掃面Ｆから離間する。
【００３４】
なお、図２及び図３中符号５１はバンパー、符号５２は表面に起毛布が装着された車輪を示している。図４で点模様が付されている領域は起毛布が装着されている領域である。
【００３５】
前記構成の吸込み口体２０を備えた電気掃除機１は、以下のようにして使用する。
【００３６】
被清掃面Ｆ上の塵を吸込むとともに水拭き掃除をする場合、まず、供液手段２５ａを吸込み口本体２１の溝部６０から取外してタンク部７０ａ内に水を入れる。タンク部７０ａに水を入れた後、供液手段２５ａを再び前記溝部６０に取付ける。供液手段２５ａの着脱時、タンク部７０ａは吸込み口本体２１の外側に露出しているので拭き部材８１には触れなくてよい。
【００３７】
吸塵開口３５を被清掃面Ｆに対向させて吸込み口本体２１を下方に移動させると、図２に示すように、回転清掃体２６の清掃部材２６ｂの下端部及び拭き取り体２７ａの拭き部材８１の下端部が被清掃面Ｆに接触するとともに、供液部７１の他側部が拭き部材８１の上端部と接触する。供液部７１の他側部が拭き部材８１の上端部と接触すると、タンク部７０ａ内の水は毛細管現象により供液部７１を介して拭き部材８１に供給され、拭き部材８１は水で湿り気を帯びる。したがって、吸込み口本体２１を前後方向に摺動させることで、被清掃面Ｆ上の塵を吸塵開口３５又は前端吸塵開口３６から本体内空間部４３に吸込むことができるとともに、被清掃面Ｆを拭き部材８１により水拭き掃除できる。
【００３８】
このとき、清掃部材２６ｂを有する回転清掃体２６が吸込み口本体２１に回転駆動可能に取付けられているとともに、拭き部材８１が清掃部材２６ｂと接するように設けられているので、拭き部材８１に付着した埃等は清掃部材２６ｂで掻き取られ、被清掃面Ｆ上の塵と一緒に本体内空間部４３に吸込まれる。
【００３９】
また、タンク部７０ａは、透明或いは透光性を有する樹脂等の部材で形成されているとともに吸込み口本体２１の外側に露出しているので、清掃中であっても、タンク部７０ａ内の液体Ｌの残量が供液手段２５ａを取り出すことなく外部から目視できる。
【００４０】
吸込み口本体２１を上方に移動させると、図３に示すように、回転清掃体２６の清掃部材２６ｂの下端部及び拭き取り体２７ａの拭き部材８１の下端部が被清掃面Ｆから離間するとともに、供液部７１の他側部が拭き部材８１の上端部から離間するので、拭き部材８１への水の供給が停止する。そのため、清掃後、拭き部材８１を被清掃面Ｆから離間させるとともに吸塵開口３５を下方に向けて拭き取り体２７ａを自重により下方に移動させておけば、供液手段２５ａを吸込み口本体２１から取外したりタンク部７０ａ内の水を捨てたりしなくても拭き部材８１に水が供給されるのを抑止できる。
【００４１】
また、タンク部７０ａ内にワックスを収容することにより、フローリング床等の被清掃面Ｆ上の塵を吸込むとともに、同被清掃面Ｆにワックスを塗布することができる。
【００４２】
さらに、被清掃面Ｆ上の塵を吸込むとともに乾拭き掃除をしたい場合は、供液手段２５ａを溝部６０から取り出せばよく、その他は上述した水拭き掃除の場合と同様に掃除すればよい。なお、電動送風機３により形成される気流が第２細長開口４２及び第１細長開口６１から漏れるのを抑制するためには、第１細長開口６１を開閉する蓋を設け、供液手段２５ａを取外した際、この蓋で第１細長開口６１を気密に閉じておくのが好ましい。
【００４３】
以上のように、本実施形態の吸込み口体２０によれば、拭き部材８１を有する拭き取り体２７ａと、内部に液体Ｌが収容されるタンク部７０ａを有する供液手段２５ａとを別体で具備しているので、拭き部材８１に触れるのを抑制しつつタンク部７０ａへの液体Ｌの補給及び廃棄が行える。しかも、拭き部材８１はタンク部７０ａ外で供液部７１と接触しているので、タンク部７０ａ内の液体Ｌを供液部７１を介して拭き部材８１に供給することができる。
【００４４】
また、この吸込み口体２０は、被清掃面Ｆへの前記拭き取り体２７ａの接離に連動して拭き部材８１が供液部７１に接離するように、拭き取り体２７ａが移動可能に設けられているので、被清掃面Ｆへの拭き取り体２７ａの接触に連動して拭き部材８１に液体Ｌを供給することができるとともに、被清掃面Ｆからの拭き部材８１の離間に連動して拭き部材８１への液体Ｌの供給を抑止することができる。
【００４５】
さらに、外周に設けられた清掃部材２６ｂを有する回転清掃体２６が吸込み口本体２１に回転駆動可能に取付けられているとともに、拭き取り体２７ａは、ローラ８０の外周に拭き部材８１を設けて形成されており、拭き部材８１と清掃部材２６ｂが接するように設けられているので、拭き部材８１に付着した埃等を清掃部材２６ｂで掻き取り、被清掃面Ｆ上の塵と一緒に吸込むことができる。
【００４６】
以下、図５及び図６を参照して本発明の第２の実施形態を説明する。この実施形態は基本的には第１実施形態と同様な構成であるので、同一ないし同様な構成については第１の実施形態と同符号を付して、その構成及び作用の説明を省略し、以下、異なる部分について説明する。
【００４７】
この実施形態では、上ケース３０から溝部６０及び第１細長開口６１が省略されている。そして、この溝部６０に代わって、上ケース３０に供液手段着脱口６２が開けられているとともに、この供液手段着脱口６２を開閉する蓋部６３が設けられている。蓋部６３は、例えば、透明或いは透光性を有する樹脂等の部材により形成されており、図示しないヒンジ金具等で上ケース３０に回動自在に取付けられている。また、上ケース３０の内側両端部には、拭き取り体支持部４９の上方に位置して供液手段支持部５３が形成されている。
【００４８】
供液手段２５ｂのタンク部７０ｂは、外面に平坦面７３ａと円弧面７３ｂとを有する断面Ｄ字状部分７３、断面Ｄ字状部分７３の両端部に設けられて外周が被清掃面Ｆに接する一対の断面円形状部分７４、及び断面Ｄ字状部分７３と断面円形状部分７４とで区画される凹部７５を有している。なお、断面円形状部分７４はなくともよい。タンク部７０ｂは、吸塵開口３５の長さ方向（図５を描いた紙面の表裏方向、図６を描いた紙面の左右方向）に延びている。このタンク部７０ｂは、平坦部を吸塵開口３５と略平行にして、この平坦部を上方に向けて配置されている。したがって、供液部７１をタンク部７０ｂ内に挿入させるための供液部挿入口７２は、断面Ｄ字状に形成された中間部の円弧部に開けられることになる。また、タンク部７０ｂの両端部からは、供液手段支持部５３と嵌合する一対の取付け部７６が突出している。
【００４９】
なお、拭き部材８１の全面に液体Ｌを早く供給するためには、タンク部７０ｂ及び供給部は拭き取り体２７ａと同程度の長さとするのが最も好ましい。だたし、図６のように、タンク部７０ｂ及び供液部７１を拭き取り体２７ａよりも短く設定しても、毛細管現象により、タンク部７０ｂ内の液体Ｌを拭き部材８１の全面に供給することができる。
【００５０】
供液手段２５ｂは、供液部７１を下側に向けた状態で供液手段着脱口６２から吸込み口本体２１の内部に挿入し、取付け部７６を供液手段支持部５３に嵌合させることで、本体内空間部４３に着脱自在に取付けられている。このとき、供液部７１の幅方向の他側部は第２細長開口４２を通って第１収容室４０内に延出される。
【００５１】
また、この実施形態では、上ケース３０とタンク部７０ｂの凹部７５との間には第４塵通過部４７が形成されるので、前端吸塵開口３６は第４塵通過部４７を通して本体内空間部４３と連通される。つまり、吸込み口本体２１は、拭き取り体２７ａの上方に吸塵開口３５及び前端吸塵開口３６を通った空気を合流させる本体内空間部４３を有することになる。なお、以上説明した構成以外は、図５及び図６に示されない構成も含めて第１実施形態と同一ないし同様である。
【００５２】
前記構成の吸込み口体２０を備えた電気掃除機１は、以下のようにして使用する。
【００５３】
被清掃面Ｆ上の塵を吸込むとともに水拭き掃除をする場合、蓋部６３を開けて供液手段２５ｂを吸込み口本体２１から取外し、タンク部７０ｂ内に水を入れて再び本体内空間部４３に収容して蓋部６３を閉じる。
【００５４】
吸塵開口３５を被清掃面Ｆに対向させて吸込み口本体２１を下方に移動させると、図５に示すように、回転清掃体２６の清掃部材２６ｂの下端部及び拭き取り体２７ａの拭き部材８１の下端部が被清掃面Ｆに接触するとともに、供液部７１の他側部が拭き部材８１の上端部と接触する。これにより、第１の実施形態と同様に、拭き部材８１にタンク部７０ｂ内の水が供給されるようになる。また、蓋部６３及びタンク部７０ｂが透明或いは透光性を有する樹脂等の部材で形成されているので、清掃中であっても、蓋部６３を介してタンク部７０ｂ内の液体Ｌの残量が供液手段２５ｂを取り出すことなく外部から目視できる。
【００５５】
電動送風機３を駆動させると、吸塵開口３５を通って第２収容室４１に取り込まれた被清掃面Ｆ上の塵は、第３塵通過部４６を通って本体内空間部４３を流通し、この空間部４３から回転リング２２及び管継手２３を通って接続管２４を流通して気流ガイド手段７に吸込まれる。吸塵開口３５を通って第１収容室４０に取り込まれた被清掃面Ｆ上の塵は、第２塵通過部４５、第２収容室４１、及び第３塵通過部４６を通って本体内空間部４３を流通し、この空間部４３から回転リング２２及び管継手２３を通って接続管２４を流通して気流ガイド手段７に吸込まれる。
【００５６】
また、前端吸塵開口３６から取り込まれた塵は、第４塵通過部４７を通って本体内空間部４３を流通し、この空間部４３から回転リング２２及び管継手２３を通って接続管２４を流通して気流ガイド手段７に吸込まれる。
【００５７】
また、この実施形態では、被清掃面Ｆ上の塵をある程度本体内空間部４３に取り込んでから、拭き部材８１で被清掃面Ｆを拭き掃除することができる。
【００５８】
すなわち、吸込み口本体２１を前進させた場合、拭き部材８１の前方の被清掃面Ｆの塵の多くは前端吸塵開口３６から取り込まれる。このように被清掃面Ｆ上の塵をある程度前端吸塵開口３６から本体内空間部４３に取り込んだ後、被清掃面Ｆは続けて拭き部材８１で拭き掃除される。
【００５９】
また、吸込み口本体２１を後退させた場合、拭き部材８１の後方の被清掃面Ｆの塵の多くは吸塵開口３５から取り込まれる。このように被清掃面Ｆ上の塵をある程度吸塵開口３５から本体内空間部４３に取り込んだ後、被清掃面Ｆは続けて拭き部材８１で拭き掃除される。
【００６０】
以上のように、本実施形態の吸込み口体２０によれば、第１の実施形態と同様の効果を得ることができる。しかも、本実施形態の吸込み口体２０によれば、吸込み口本体２１の前端部に前端吸塵開口３６が開けられているとともに、拭き取り体２７ａの上方に吸塵開口３５及び前端吸塵開口３６を通った空気を合流させる本体内空間部４３を吸込み口本体２１が有しているので、被清掃面Ｆ上の塵をある程度本体内空間部４３に取り込んでから、拭き部材８１で同被清掃面Ｆを拭き掃除することができる。
【００６１】
以下、図７〜図１０を参照して本発明の第３の実施形態を説明する。この実施形態は基本的には第１実施形態と同様な構成であるので、同一ないし同様な構成については第１の実施形態と同符号を付して、その構成及び作用の説明を省略し、以下、異なる部分について説明する。
【００６２】
この実施形態では、気流ガイド手段７としての吸塵ホース８及び延長管１０に、電動送風機３を通過してこの電動送風機３から排出された空気を吸込み口体２０に流通させる戻り風路Ｔが形成されている。
【００６３】
例えば、吸塵ホース８は、第１ホース１１とこの第１ホース１１を覆う第２ホース１２とで２重ホースをなしている。第１ホース１１及び第２ホース１２は夫々可撓性を有している。そして、第１ホース１１内の空間８ｓが吸込み口体２０から掃除機本体２に空気を流通させる吸気風路Ｓ、第１ホース１１の外壁と第２ホース１２の内壁との間の空間８ｔが掃除機本体２から吸込み口体２０に空気を流通させる戻り風路Ｔとなっている。なお、第１ホース１１内の空間８ｓを戻り風路Ｔ、第１ホース１１の外壁と第２ホース１２の内壁との間の空間８ｔを吸気風路Ｓとしてもよい。
【００６４】
延長管１０の内部は長手方向に沿って設けられた壁１３により２つの空間１０ｓ，１０ｔに分断されており、一方の空間１０ｓは吸込み口体２０から掃除機本体２に空気を流通させる吸気風路Ｓ、他方の空間１０ｔは掃除機本体２から吸込み口体２０に空気を流通させる戻り風路Ｔとなっている。延長管１０の一端部１０ａに吸塵ホース８の手元操作部９の先端嵌合筒部を取付けることにより、吸気風路Ｓ同士及び戻り風路Ｔ同士が夫々連通するように形成されている。
【００６５】
吸込み口体２０には、接続管２４に隣接して戻り風路管２８が設けられている。この吸込み口体２０では、接続管２４内の空間が吸気風路Ｓ、戻り風路管２８内の空間が戻り風路Ｔとなっている。吸込み口体２０に延長管１０の他端部１０ｂ又は吸塵ホース８の手元操作部９の先端嵌合筒部を選択的に着脱可能に接続することで、吸気風路Ｓ同士及び戻り風路Ｔ同士が夫々連通するように形成されている。
【００６６】
回転リング２２及び管継手２３は夫々、内壁２２ａ，２３ａとこの内壁２２ａ，２３ａを外壁２２ｂ，２３ｂとで二重構造となっており、内壁２２ａ，２３ａ内の空間が吸気風路Ｓ、外壁２２ｂ，２３ｂと内壁２２ａ，２３ａとの間の空間が戻り風路Ｔとなっている。
【００６７】
上ケース３０と下ケース３１とにより形成される本体内空間部４３は、中仕切り３２により上下方向に分断されている。下側の空間５６は、第１収容室４０と第２収容室４１とを有している。第２収容室４１は吸塵開口３５を通して被清掃面Ｆに臨んでおり、第１収容室４０は前端吸塵開口３６と連通している。また、掃除機本体２に設けられた排気口は省略され、代わりに、吸込み口本体２１の上ケース３０に前方に寄せて上側の空間５５と連通する排気口２９が形成されている。この吸込み口体２０では、下側の空間５６は、回転リング２２及び管継手２３の内壁２２ａ，２３ａ内の空間を介して接続管２４と連通している。一方、上側の空間５５は、回転リング２２及び管継手２３の外壁２２ｂ，２３ｂと内壁２２ａ，２３ａとの間の空間を介して戻り風路管２８と連通している。なお、図８及び図９中符号５４は、吸込み口本体２１の幅方向に延びるブラシ体を示している。また、車輪５２は省略されている。
【００６８】
上ケース３０の内側両端部には、拭き取り体支持部４９の上方に位置して供液手段支持部５３が形成されている。供液手段２５ｃのタンク部７０ｃは、吸塵開口３５の長さ方向に延びる細長筒状に形成されている。タンク部７０ｃの両端壁面からは、供液手段支持部５３と嵌合する一対の取付け部７６が突出している。
【００６９】
供液手段２５ｃは、供液部７１を下側に向けた状態で排気口２９から吸込み口本体２１の上側の空間５５内に挿入し、取付け部７６を供液手段支持部５３に嵌合させることで、本体内空間部４３に着脱自在に取付けられる。このとき、供液部７１の幅方向の他側部は第２細長開口４２を通って第１収容室４０内に延出される。
【００７０】
つまり、この実施形態では、タンク部７０ｃは戻り風路Ｔ内に配設されている。なお、この実施形態では、タンク部７０ｃの一部が吸込み口本体２１から突出しているが、タンク部７０ｃは、戻り風路Ｔ内であれば、吸込み口本体２１に内包されるように配設してもよい。
【００７１】
拭き取り体２７ｂは、吸込み口本体２１の前進時に前端吸塵開口３６の前方の被清掃面Ｆに沿う前端吸塵開口３６への吸込みを許し、吸込み口本体２１の後退時に拭き部材８１を被清掃面Ｆに接触させて前端吸塵開口３６の前方の被清掃面Ｆに沿う前記吸込みを抑制する。
【００７２】
詳しくは、拭き取り体２７ｂは、図１０に示すように、外面に平坦面８２ａと円弧面８２ｂとを有する断面Ｄ字状部分８２、断面Ｄ字状部分８２の両端部に設けられて外周が被清掃面Ｆに接する一対の断面円形状部分８３、及び断面Ｄ字状部分８２と断面円形状部分８３とで区画される凹部８４を有するローラ８０と、拭き部材８１とを有している。
【００７３】
ローラ８０は、吸塵開口３５の長さ方向（図８及び図９を描いた紙面の表裏方向）に延びている。拭き部材８１は、ローラ８０の外周、例えば断面Ｄ字状部分８２の円弧面８２ｂ及び断面円形状部分８３の外周に被着されている。拭き部材８１としては例えば起毛布が用いられている。
【００７４】
ローラ８０の両端部からは軸部８５ｂが突出している。これら軸部８５ｂには夫々突起（図示せず）が設けられている。一方、下ケース３１の前部両端側壁には、軸部８５ｂと嵌合する凹状の拭き取り体支持部（図示せず）が設けられている。これら拭き取り体支持部には、前記突起が嵌り込む溝部が９０°の角度範囲内に形成されている。突起及び溝部により拭き取り体２７ｂは、吸込み口本体２１の前進と後退とに連動し、吸込み口本体２１の前進時に凹部８４を通して前端吸塵開口３６の前方の被清掃面Ｆに沿う前端吸塵開口３６及び吸塵開口３５への吸込みを許す開状態と、吸込み口本体２１の後退時に拭き部材８１を被清掃面Ｆに接触させて前端吸塵開口３６の前方の被清掃面Ｆに沿う前端吸塵開口３６及び吸塵開口３５への吸込みを抑制する閉状態とにわたって９０°の角度範囲内で反転するように形成されている。
【００７５】
拭き取り体２７ｂは、拭き取り体支持部の溝部に軸部８５ｂの突起を嵌め込んだ状態でこれら拭き取り体支持部の夫々に軸部８５ｂを夫々取付けることによって第１収容室４０に反転自在に収容されている。また、この拭き取り体２７ｂは、吸込み口本体２１の被清掃面Ｆ上の前進と後退とに連動して自動的に反転する。つまり、拭き取り体２７ｂは、吸込み口本体２１の前後移動に伴う断面円形状部分８３の外周と被清掃面Ｆとの抵抗でローラ８０が自動的に反転する。なお、以上説明した構成以外は、図７〜図１０に示されない構成も含めて第１実施形態と同一ないし同様である。
【００７６】
前記構成の吸込み口体２０を備えた電気掃除機１は、以下のようにして使用する。
【００７７】
被清掃面Ｆ上の塵を吸込むとともに水拭き掃除する場合、排気口２９を介して吸込み口本体２１から供液手段２５ｃを取外し、タンク部７０ｃ内に液体Ｌ例えば水を入れて再び排気口２９から本体内空間部４３に取付ける。
【００７８】
吸塵開口３５を被清掃面Ｆに対向させて吸込み口本体２１を下方に移動させると、図８及び図９に示すように、回転清掃体２６の清掃部材２６ｂの下端部及び拭き取り体２７ｂの拭き部材８１の下端部が被清掃面Ｆに接触するとともに、供液部７１の他側部が拭き部材８１の上端部と接触する。これにより、第１の実施形態と同様に、拭き部材８１にタンク部７０ｃ内の水が供給されるようになる。また、蓋部６３及びタンク部７０ｃが透明或いは透光性を有する樹脂等の部材で形成されているので、清掃中であっても、蓋部６３を介してタンク部７０ｃ内の液体Ｌの残量が供液手段２５ｃを取り出すことなく外部から目視できる。
【００７９】
電動送風機３を駆動させると、吸塵開口３５或いは前端吸塵開口３６を通って第１収容室４０或いは第２収容室４１に取り込まれた被清掃面Ｆ上の塵は、第３塵通過部４６を通って下側の空間５６を流通して、回転リング２２の空間、管継手２３の空間、及び接続管２４を流通し、気流ガイド手段７の吸込み風路を流通して、掃除機本体２に空気とともに吸込まれ、掃除機本体２の集塵室４内のフィルタ４ａで捕捉される。電動送風機３を通過してこの電動送風機３から排出された空気は気流ガイド手段７の戻り風路Ｔを通って吸込み口体２０に戻る。吸込み口体２０に戻った排気は、戻し通路管、管継手２３の空間、及び回転リング２２の空間を流通して、吸込み口本体２１の上側の空間５５を流通し、タンク部７０ｃに当たって排気口２９から排出される。
【００８０】
電動送風機３から排出された空気は電動送風機３により温められているので、この排気が吹き当たるタンク部７０ｃ内の水はこの排気により温められる。したがって、拭き部材８１には温められた水が供給される。温められた水を含んだ拭き部材８１により水拭き掃除された被清掃面Ｆは、常温の水を含んだ拭き部材８１により水拭き掃除された被清掃面Ｆと比べて早く乾くので好ましい。
【００８１】
吸込み口本体２１を被清掃面Ｆに沿って前進させると、吸込み口本体２１と被清掃面Ｆとの関係は、図８に示すようになる。図８中矢印Ｘで吸込み口本体２１の前進方向を示す。
【００８２】
つまり、前進時には、拭き取り体２７ｂは、吸込み口本体２１の前進に連動して、断面円形状部分８３の外周と被清掃面Ｆとの抵抗により、図８中時計回りに９０°反転する。これにより、拭き取り体２７ｂは凹部８４を通して前端吸塵開口３６の前方の被清掃面Ｆに沿う前端吸塵開口３６及び吸塵開口３５への吸込みを許す開状態となる。そのため、拭き取り体２７ｂよりも前側にある塵は前方に押し動かされることなく前側吸塵開口３５から第１塵通過部４４を介して第１収容室４０に良好に取り込まれる。そして、第２塵通過部４５、第２収容室４１、第３塵通過部４６、及び下側の空間５６を流通し、この下側の空間５６からリング部材の空間、接続管２４継手２３の空間、及び接続管２４を流通して気流ガイド手段７に吸込まれる。なお、吸塵開口３５から取り込まれた塵は、第２収容室４１、第３塵通過部４６、及び下側の空間５６を流通し、この下側の空間５６からリング部材の空間、接続管２４継手２３の空間、及び接続管２４を流通して気流ガイド手段７に吸込まれる。
【００８３】
吸込み口本体２１を被清掃面Ｆに沿って後退させると、吸込み口本体２１と被清掃面Ｆとの関係は、図９に示すようになる。図９中矢印Ｙで吸込み口本体２１の後退方向を示す。
【００８４】
つまり、後退時には、拭き取り体２７ｂは、吸込み口本体２１の後退に連動して、断面円形状部分８３の外周と被清掃面Ｆとの抵抗により、図９中反時計回りに９０°反転する。これにより、拭き取り体２７ｂは拭き部材８１を被清掃面Ｆと接触させて前端吸塵開口３６の前方の被清掃面Ｆに沿う前端吸塵開口３６への吸込みを抑制する閉状態となる。そのため、被清掃面Ｆは拭き部材８１により水拭き掃除される。なお、吸塵開口３５から取り込まれた塵は、前進時と同様に、第２収容室４１、第３塵通過部４６、及び下側の空間５６を流通し、この下側の空間５６からリング部材の空間、接続管２４継手２３の空間、及び接続管２４を流通して気流ガイド手段７に吸込まれる。したがって、この実施形態では、吸込み口本体２１の前進時に前側からの吸込みができ、後退時に拭き掃除ができる。
【００８５】
したがって、本実施形態の吸込み口体２０によれば、第１の実施形態と同様の効果を得ることができる。しかも、本実施形態の吸込み口体２０によれば、吸込み口本体２１に電動送風機３から排出された空気を流通させる戻り風路Ｔが形成され、この戻り風路Ｔ内にタンク部７０ｃが配設されているので、水拭き掃除した被清掃面Ｆが早く乾く。
【００８６】
なお、第１〜第３の実施形態の吸込み口体２０は、回転清掃体２６をモータで回転駆動させているが、モータを省略して電動送風機３により形成される気流で回転駆動させるように構成してもよい。また、回転清掃体２６は省略してもよい。
【００８７】
また、第１〜第３の実施形態では、拭き取り体２７ａ，２７ｂを、ローラ８０とこのローラ８０の外周に設けた拭き部材８１とを備えて構成し、吸込み口本体２１の前進及び後退に連動して回転自在或いは反転自在に形成したが、拭き取り体は、これに限定されるものではない。例えば、拭き取り体は、板状部材とこの板状部材の外周に設けた拭き部材とを備えて構成する等してもよい。また、拭き取り体は、吸込み口本体２１に固定してもよい。
【００８８】
この発明の吸込み口体は、キャニスタ型の電気掃除機だけでなく、例えばスティック型等の種々の電気掃除機に取付けて使用することができる。
【００８９】
【発明の効果】
本発明によれば、拭き部材に液体を供給しながら拭き掃除できるとともに、拭き部材に触れるのを抑制しつつ液体の補給及び廃棄が行える吸込み口体、及び、この吸込み口体を備えた電気掃除機が得られる。
【図面の簡単な説明】
【図１】本発明の第１の実施形態に係る電気掃除機を示す斜視図。
【図２】図１の電気掃除機が備える吸込み口体を被清掃面に接触させた時の断面図。
【図３】図１の電気掃除機が備える吸込み口体を被清掃面から離間させた時の断面図。
【図４】図１の電気掃除機が備える吸込み口体の下面図。
【図５】本発明の第２の実施形態に係る電気掃除機が備える吸込み口体を被清掃面に接触させた状態で示す断面図。
【図６】図５の電気掃除機が備える吸込み口体を示す横断面図。
【図７】本発明の第１の実施形態に係る電気掃除機を示す斜視図。
【図８】図７の電気掃除機が備える吸込み口体を被清掃面に沿って前進させた時の断面図。
【図９】図７の電気掃除機が備える吸込み口体を被清掃面に沿って後退させた時の断面図。
【図１０】図７の電気掃除機が備える吸込み口体が備える拭き取り体を示す斜視図。
【符号の説明】
１…電気掃除機
２…掃除機本体
３…電動送風機
２０…吸込み口体
２１…吸込み口本体
２５ａ〜２５ｃ…供液手段
２６…回転清掃体
２７ａ，２７ｂ…拭き取り体
３５…吸塵開口
３６…前端吸塵開口
４３…本体内空間部
７０ａ〜７０ｃ…タンク部
７１…供液部
８０…ローラ
８１…拭き部材
Ｆ…被清掃面
Ｌ…液体
Ｔ…戻り風路
【図１】
2004121410.tif 000003
【図２】
2004121410.tif 000004
【図３】
2004121410.tif 000005
【図４】
2004121410.tif 000006
【図５】
2004121410.tif 000007
【図６】
2004121410.tif 000008
【図７】
2004121410.tif 000009
【図８】
2004121410.tif 000010
【図９】
2004121410.tif 000011
【図１０】
2004121410.tif 000012